(57)【特許請求の範囲】
【請求項１】
ゴルフクラブを収容する本体部の外面に設けられ、底部を具備した収容部と、
前記収容部の底部に設けられ、前記底部に沿ってゴルフ用品を収容可能にする開口部を具備した袋状部と、
を有し、
前記袋状部は、前記収容部の露出した底面を覆うようにして取り付けられるメッシュ部材であることを特徴とするキャディバッグ。
【請求項２】
前記袋状部が設けられる収容部は、前記本体部に設けられる取手及びショルダーベルトが設けられるフロント側とは反対側となる背面側以外の領域に配設されていることを特徴とする請求項１に記載のキャディバッグ。
【請求項３】
前記袋状部が設けられる収容部は、前記本体部に設けられる取手下方に配設されるフロント収容部であることを特徴とする請求項１又は２に記載のキャディバッグ。
【発明の詳細な説明】
【技術分野】
【０００１】
本発明は、ゴルフをするに際して携行されるキャディバッグに関する。
【背景技術】
【０００２】
一般的に、ゴルフ場でゴルフをするに際しては、ゴルフクラブ、ボール等のゴルフ用品を収容したキャディバッグが携行される。このようなキャディバッグは、プレーヤやキャディが担いだり、カートに搭載されて、ラウンド中のプレーヤが、プレー中に必要とされるゴルフ用品を取り出せる構造となっている。
【０００３】
このようなキャディバッグは、様々なゴルフ用品（ゴルフクラブ、ボール、雨具、シューズ、タオル等）を機能的に収容できるとともに携行し易い構造となっており、例えば、特許文献１に開示されているように、多数本のゴルフクラブを収容する筒状の本体部と、前記本体部の外面に複数の収容部を設けることが一般的となっている。前記収容部は、大きな用品（例えば、雨具、シューズ等）を収容できるように、背面側に設けられる背面収容部（背袋）と、小さい用品（例えば、ボール、ティー、マーカー等）を機能的に収容できるように、前面側に２重、３重の収容部を具備したフロント収容部を備えており、このような収容部、特にフロント収容部は、ファスナーで開閉して上方に取り出しできるよう構成されている。また、キャディバッグには、携行しやすいように、本体部のフロント側に取手、及びショルダーベルトが取着されている。
【先行技術文献】
【特許文献】
【０００４】
【特許文献１】特開２００８−２９４５８号
【発明の概要】
【発明が解決しようとする課題】
【０００５】
上記したように、キャディバッグには、本体部に複数の収容部を設けることが一般的となっているが、キャディバッグはプレー中に様々な使い方がある。すなわち、単に立てておくだけではなく、カートに搭載したり、担いだりすることがあり、前記したように、収容部が上方側に開口するだけでは、使い勝手が悪いこともある。
【０００６】
本発明は、上記した問題に着目してなされたものであり、様々な場面でゴルフ用品の出し入れが行い易い収容部を備えたキャディバッグを提供することを目的とする。
【課題を解決するための手段】
【０００７】
上記した目的を達成するために、本発明に係るキャディバッグは、ゴルフクラブを収容する本体部の外面に設けられ、底部を具備した収容部と、前記収容部の底部に設けられ、前記底部に沿ってゴルフ用品を収容可能にする開口部を具備した袋状部と、を有することを特徴とする。
【０００８】
上記したキャディバッグによれば、ゴルフクラブが収容される本体部の外面に設けられたゴルフ用品を収容する収容部の底部を利用して、新たに、底部に沿ってゴルフ用品を収容可能にする開口部を具備した袋状部を設けているため、キャディバッグを担いでいる状態やカートに搭載している状態であっても、開口部を介して袋状部にゴルフ用品の出し入れが行い易くなる。すなわち、プレー中の様々な場面で、ゴルフ用品の出し入れが行い易い収容部を備えたキャディバッグとなり、利便性の向上を図ることが可能となる。
【０００９】
なお、上記した構成では、前記袋状部は、開口部を広げて、底部に沿ってゴルフ用品を差し込むことができる構成となっていれば良く、袋状部については、収容した状態を隠蔽するような形態であっても良いし、メッシュ状になったものであっても良い。また、袋状部は、収容部の底部の内面側に設けられていても良いし、外面側（露出面側）に設けられていても良い。
【発明の効果】
【００１０】
本発明によれば、様々な場面でゴルフ用品の出し入れが行い易い収容部を備えたキャディバッグが得られる。
【図面の簡単な説明】
【００１１】
【図１】本発明に係るキャディバッグの一実施形態を示す斜視図。
【図２】図１に示すキャディバッグの側面図。
【図３】図１に示すキャディバッグの裏面図。
【図４】図１に示すキャディバッグを担いだ状態を示す図。
【図５】図１に示すキャディバッグをカートに搭載した状態を示す図。
【図６】袋状部の変形例を示すキャディバッグの裏面図。
【発明を実施するための形態】
【００１２】
以下、本発明に係るキャディバッグの一実施形態について、添付図面を参照しながら具体的に説明する。  
図１から図３は、本発明に係るキャディバッグの一実施形態を示す図であり、図１はキャディバッグの全体を示す斜視図、図２は側面図、そして、図３は裏面図である。
【００１３】
本実施形態に係るキャディバッグ１は、多数本のゴルフクラブを収容する略円筒形状の本体部５を備えており、その上方には、ゴルフクラブを出し入れする開口５ａが形成されている。なお、開口部分には、カバー体（図示せず）が取着できるようになっており、収容されるゴルフクラブのヘッド部分を覆うようになっている。
【００１４】
前記本体部５は、図１に示すように、地面に対して設置され、その側面には、把持される取手７と、肩に掛けるショルダーベルト８が設けられている。なお、キャディバッグ１の本体部５は、このような取手７及びショルダーベルト８が設けられる側をフロント側、フロント側と反対側を背面側、フロント側と背面側の間を側面側として定義する。
【００１５】
前記本体部５の外面には、複数の収容部が設けられている。本実施形態では、本体部５のフロント側、側面側（一方の側面側）、及び背面側に設けられている。具体的には、前記取手７の下方にフロント収容部１０が、側面側の高さ方向中間から下方領域にかけて側面収容部２０が、背面側の全面に亘って背面収容部３０が設けられている。これらの収容部には、大きさ、使用頻度等に応じて、プレーヤの好みに応じて様々なゴルフ用品が収容される。
【００１６】
前記フロント収容部１０は、フロント側から膨出する形態となっており、複数のポケットを備えている。これら複数のポケットは、比較的大きなゴルフ用品を収容可能な第１ポケット１０Ａ、第１ポケット１０Ａの前方側でかつ下方側に配設される第２ポケット１０Ｂ、及び第２ポケット１０Ｂの前面に配設され、小さいゴルフ用品が収容可能な第３ポケット１０Ｃで構成されている。そして、これらのポケット１０Ａ，１０Ｂ，１０Ｃは、それぞれファスナー１２Ａ，１２Ｂ，１２Ｃによって解放／閉塞されるようになっている。
【００１７】
また、複数のポケット１０Ａ，１０Ｂ，１０Ｃを有するフロント収容部１０は、ゴルフ用品が載置される底部１５を備えている。この場合、底部１５とは、キャディバッグ１を地面に設置した際、地面と対向する部分であり、前記ファスナーを開放してゴルフ用品を収容した際、この底部１５の内面に載置されるようになっている。本実施形態では、前記第１ポケット１０Ａ、第２ポケット１０Ｂ、及び第３ポケット１０Ｃが一体化されたフロント収容部１０の下端面が底部１５を構成している。
【００１８】
前記側面収容部２０は、側面側から膨出する形態となっており、上端側にファスナー２２が設けられ、収容部を解放／閉塞されるようになっている。この側面収容部２０は、上記したフロント収容部１０と同様、ゴルフ用品が載置される底部２５を備えている。
【００１９】
また、前記背面収容部３０は、背面側から膨出する形態となっており、上端側にファスナー３２が設けられ、収容部を解放／閉塞されるようになっている。この背面収容部３０は、上記したフロント収容部１０、側面収容部２０と同様、ゴルフ用品が載置される底部３５を備えている。
【００２０】
前記収容部の底部には、その底部に沿ってゴルフ用品を収容可能にする開口部を具備した袋状部が設けられている。  
この場合、本実施形態では、前記フロント収容部１０と側面収容部２０の、それぞれの底部１５，２５に設けられている。詳細には、図２及び図３に示すように、袋状部は、各底部１５，２５の露出した底面１５ａ，２５ａを覆うようにして取り付けられるメッシュ部材１８，２８によって構成されており、それぞれの開口１８ａ，２８ａを介して、ゴルフ用品を底部（底面１５ａ，２５ａ）に沿って矢印方向に差し込むことが可能となっている。
【００２１】
各メッシュ部材１８，２８は、弾性を有する紐部材を網状に編成することで構成することが可能であり、各底面の表面に沿って被着される。すなわち、比較的小さいゴルフ用品（例えばボールやティー等）を掴んで、そのまま開口１８ａ，２８ａを介して差し込むようにすることで、これらのゴルフ用品を、底面に圧接して弾性的に収容することが可能となっている。
【００２２】
上記した構成のキャディバッグ１によれば、本体部５の外面に設けられたゴルフ用品を収容する収容部の底部を利用して、新たに、底部に沿ってゴルフ用品を収容可能にする開口部１８ａ，２８ａを具備した袋状部（メッシュ部材１８，２８）を設けているため、使用時において利便性の向上が図れるようになる。
【００２３】
すなわち、キャディやプレーヤがキャディバッグ１を担いでプレーをする際には、例えば、図４に示すように、ショルダーベルト８を肩に掛けて使用することとなるが、このようなキャディバッグを担いだ状態では、手で掴んだゴルフ用品（ボール５０が示されている）をそのまま開口１８ａを介して、底部１５に沿って矢印方向に向けて出し入れすることが容易に行えるようになる。或いは、図５に示すように、キャディバッグ１をカート７０のバッグ支持部７１に搭載した状態においても、ゴルフ用品を掴んでそのまま開口１８ａ、２８ａを介して、底部に沿って矢印方向に向けて出し入れすることが容易に行えるようになる。  
このように、キャディバッグ１を担ぐ、或いはカートに搭載する等、様々な場面においてゴルフ用品の出し入れがし易い新たな収容部が形成されることにより、キャディバッグとしての利便性の向上が図れるようになる。
【００２４】
また、本実施形態では、キャディバッグをカート７０のバッグ支持部７１に搭載した際、本体部５の設置側となる背面側以外の露出領域、すなわち、フロント収容部１０と側面収容部２０の、それぞれの底部１５，２５に袋状部（メッシュ部材１８，２８）を設けているため、カート搭載時における利便性の向上が図れるようになる。特に、本実施形態では、袋状部を、本体部５に設けられる取手７の下方に配設されるフロント収容部１０に設けたことで、カートへの搭載時に使用頻度の高いフロント収容部の充実が図れるとともに、図４に示したように、キャディバッグを担いだ際の利便性の向上が図れるようになる。
【００２５】
また、本実施形態では、袋状部は、各底部１５，２５の露出した底面１５ａ，２５ａを覆うようにして取り付けられるメッシュ部材１８，２８で構成したことから、ゴルフ用品に付着した砂や汚れ等が、そのまま落下して袋状部に溜まることがない。また、メッシュ部材１８，２８は、底面に設けられているため、砂、汚れ、傷がついた使用後ボールや、折れて使用できないティー等を収容しても、視認し難くなり美感を損なうこともない。
【００２６】
以上、本発明の実施形態について説明したが、本発明は、上記した構成に限定されることはなく、種々変形することが可能である。  
本発明における袋状部は、開口部を広げて、底部に沿ってゴルフ用品を差し込むことができる構成となっていれば良く、例えば、図６に示すように、収容した状態を隠蔽するような形態であっても良い。すなわち、フロント収容部１０の底部１５の底面１５ａに対して、その縁部に、本体部を構成する素材と同じ素材の平板部材１９を止着して袋状部を構成しても良い。また、開口部を開閉する構成については、図６に示すように、開閉部材１９Ａを開口部に沿って被着しておき、スナップボタンやマグネット等で開口部を開放／閉塞するようにしても良い。
【００２７】
上記した構成の袋状部については、背面収容部３０の底部３５に設けても良い。また、上記した実施形態の袋状部は、各収容部の底部の外面側（露出面側）に設けたものを例示したが、内面側に設けられていても良い。また、各袋状部の開口部が形成される方向（出し入れする方向）についても、適宜変形することが可能である。さらに、底部を有する収容部については、本体部５の外面のいずれかの位置に設置されたものであれば良く、収容部そのものの構成については、特に限定されることはない。このため、側面収容部や背面収容部に、フロント収容部と同様、複数のポケットを設けても良いし、そのようなポケットの数については特に限定されることはない。
【符号の説明】
【００２８】
１  キャディバッグ
５  本体部
１０  フロント収容部（収容部）
１５  底部
１８  メッシュ部材（袋状部）
１８ａ  開口
２０  側面収容部（収容部）
２５  底部
２８  メッシュ部材（袋状部）
２８ａ  開口
３０  背面収容部（収容部）
【図１】
0005514136.tif 000002
【図２】
0005514136.tif 000003
【図３】
0005514136.tif 000004
【図４】
0005514136.tif 000005
【図５】
0005514136.tif 000006
【図６】
0005514136.tif 000007